(57)【要約】【課題】作業員がマンホールに出入りする場合に、極めて簡単にマンホール用手摺を装着して、このマンホール用手摺を介して作業員が安全を確保しながらマンホールに出入りすることができ、しかも、このマンホール用手摺を利用して、資材等の荷降ろしも簡単に行うことができるマンホール用手摺を提供する。【解決手段】本発明に係るマンホール用手摺は、マンホール１０の内壁１１に着脱自在または固定的に取り付けられた手摺取付金具１２と、前記手摺取付金具１２に取り付けられた手摺本体１とからなり、前記手摺本体１は、前記手摺取付金具１２に挿入される差込部２と、前記差込部２より延設された水平部３と、前記水平部３より上方に延設された手摺部４により形成されている。【選択図】図１
2007002481.tif 000002
【特許請求の範囲】
【請求項１】
マンホールの内壁に着脱自在または固定的に取り付けられた手摺取付金具と、前記手摺取付金具に取り付けられた手摺本体とからなり、
前記手摺本体は、前記手摺取付金具に挿入される差込部と、前記差込部より延設された水平部と、前記水平部より上方に延設された手摺部により形成されていることを特徴とするマンホール用手摺。
【請求項２】
マンホールの内壁に着脱自在または固定的に取り付けられた手摺取付金具と、前記手摺取付金具に挿脱自在に取り付けられた手摺本体とからなり、
前記手摺本体は、前記手摺取付金具に挿入される垂直な差込部と、前記差込部より水平方向に形成された水平部と、前記水平部より垂直に立ち上げられた門型の手摺部が一体に形成されていることを特徴とするマンホール用手摺。
【請求項３】
前記手摺部の頂部には、荷降ろし用フックが設けられている請求項１または２に記載のマンホール用手摺。
【請求項４】
前記水平部には、横バーが設けられている請求項１または２に記載のマンホール用手摺。
【請求項５】
前記手摺本体の差込部を手摺取付金具に挿入した状態において、手摺本体の水平部が地面に当接している請求項１または２に記載のマンホール用手摺。
【請求項６】
前記手摺本体の差込部を手摺取付金具に挿入した状態において、手摺本体の水平部がマンホールの穴内に位置している請求項１または２に記載のマンホール用手摺。
【請求項７】
マンホールの穴径より大きく形成された枠状の支持基台と、前記支持基台に着脱自在または固定的に取り付けられた門型の手摺本体とからなり、
前記支持基台には、前記手摺本体を差し込むための差込部が設けられていることを特徴とするマンホール用手摺。
【請求項８】
前記手摺本体の頂部には、荷降ろし用フックが設けられている請求項7に記載のマンホール用手摺。
【請求項９】
前記支持基台が、円形の枠状に形成されている請求項7に記載のマンホール用手摺。
【請求項１０】
前記支持基台が、方形の枠状に形成されている請求項７に記載のマンホール用手摺。
【請求項１１】
マンホールを跨ぐように配された２本の棒状部材により形成された支持基台と、前記支持基台の垂直方向に着脱自在または固定的に取り付けられた門型の手摺本体とからなり、
前記支持基台には、前記手摺本体を差し込むための差込部が設けられていることを特徴とするマンホール用手摺。
【請求項１２】
前記手摺本体の頂部には、荷降ろし用フックが設けられている請求項１１に記載のマンホール用手摺。
【請求項１３】
前記支持基台を構成する２本の棒状部材は、支持バーを介して連結されている請求項１１に記載のマンホール用手摺。
【請求項１４】
前記手摺本体には、横バーが設けられている請求項１１に記載のマンホール用手摺。
【発明の詳細な説明】
【技術分野】
【０００１】
本発明は、作業員がマンホール内で作業を行う場合に、マンホールの入口に設置することで、作業員がマンホール内へ容易に出入りすることのできるマンホール用手摺に関するものである。
【背景技術】
【０００２】
一般に都市部においては、地下トンネルを形成し、この地下トンネルに電力ケーブルや通信ケーブル、或いは、ガス管等を設置していることが多い。
【０００３】
そして、この地下トンネルを保守管理するために作業員が出入りする場合は、地上に連通しているマンホールが使用されるのが一般的である。
【０００４】
このマンホールを介して作業員が出入りする場合は、作業員がマンホールの蓋を開け、地面に手をついた状態でバランスを取りながら足を伸ばし、マンホールの穴内に設置した梯子へ足をかけて入坑していた。
【０００５】
しかしながら、このような入坑方法では、入坑時における作業員の態勢が悪く、足元も見づらいため、作業員がバランスを崩してマンホールの中へ墜落する虞れがあった。
【０００６】
そこで、このような作業員の危険を回避するものとして、特開２００５−２６９６号公報に示すようなマンホール用の梯子取付具及びこれを用いたマンホール用梯子装置が存在する。
【０００７】
このマンホール用梯子装置は、マンホールの開口縁枠に着脱自在に取り付ける支持基台と、前記支持基台のマンホール外側に着脱自在に又は固定的に取り付けた手摺り枠と、前記支持基台のマンホール内側に設けた梯子支持部と、からなることを特徴としている。
【特許文献１】特開２００５−２６９６号公報
【発明の開示】
【発明が解決しようとする課題】
【０００８】
しかしながら、上述した従来のマンホール用梯子装置においては、手摺り枠を取り付ける支持基台が、マンホールのフランジに固定することから、マンホールのフランジに合わせた特別の形状が必要であると共に、フランジが存在しない形状のマンホールには使用できないという問題があった。
【０００９】
また、上述した従来のマンホール用梯子装置は、支持基台をマンホールのフランジに固定するため、下方からボルトで締め付ける必要があり、装置の取り付け作業に手間がかかるという問題もあった。
【００１０】
この他、作業員がマンホールの底部において作業を行う場合には、道具類や資材が必要となる場合が多く、そのようなときは地上側から資材等を送り込むためにロープ等を使用していた。
【００１１】
このとき、地上側に居る作業員は、ロープを直接手で握み、マンホールの上に身を乗り出しながら、重量のある道具や資材をマンホールの底部に降ろすことから、この作業に多大な労力が必要であり、また、不安定な姿勢で作業を行うため、作業員がマンホール内に墜落する危険性もあった。
【００１２】
そこで、本発明は、上述した従来の問題点に鑑み創出されもので、作業員がマンホールに出入りする場合に、極めて簡単にマンホール用手摺を装着して、このマンホール用手摺を介して作業員が安全を確保しながらマンホールに出入りすることができ、しかも、このマンホール用手摺を利用して、資材等の荷降ろしも簡単に行うことができるマンホール用手摺を提供するものである。
【課題を解決するための手段】
【００１３】
本発明に係るマンホール用手摺は、マンホールの内壁に着脱自在または固定的に取り付けられた手摺取付金具と、前記手摺取付金具に取り付けられた手摺本体とからなり、
前記手摺本体は、前記手摺取付金具に挿入される差込部と、前記差込部より延設された水平部と、前記水平部より上方に延設された手摺部により形成されていることで、上述した課題を解決した。
【００１４】
また、本発明に係るマンホール用手摺は、マンホールの内壁に着脱自在または固定的に取り付けられた手摺取付金具と、前記手摺取付金具に挿脱自在に取り付けられた手摺本体とからなり、
前記手摺本体は、前記手摺取付金具に挿入される垂直な差込部と、前記差込部より水平方向に形成された水平部と、前記水平部より垂直に立ち上げられた門型の手摺部が一体に形成されていることで、同じく上述した課題を解決した。
【００１５】
さらに、前記手摺部の頂部には、荷降ろし用フックが設けられていることで、同じく上述した課題を解決した。
【００１６】
また、前記水平部には、横バーが設けられていることで、同じく上述した課題を解決した。
【００１７】
加えて、前記手摺本体の差込部を手摺取付金具に挿入した状態において、手摺本体の水平部が地面に当接していることで、同じく上述した課題を解決した。
【００１８】
また、前記手摺本体の差込部を手摺取付金具に挿入した状態において、手摺本体の水平部がマンホールの穴内に位置していることで、同じく上述した課題を解決した。
【００１９】
この他、本発明に係るマンホール用手摺は、マンホールの穴径より大きく形成された枠状の支持基台と、前記支持基台に着脱自在または固定的に取り付けられた門型の手摺本体とからなり、
前記支持基台には、前記手摺本体を差し込むための差込部が設けられていることで、同じく上述した課題を解決した。
【００２０】
また、前記手摺本体の頂部には、荷降ろし用フックが設けられていることで、同じく上述した課題を解決した。
【００２１】
さらに、前記支持基台が、円形の枠状に形成されていることで、同じく上述した課題を解決した。
【００２２】
また、前記支持基台が、方形の枠状に形成されていることで、同じく上述した課題を解決した。
【００２３】
加えて、本発明に係るマンホール用手摺は、マンホールを跨ぐように配された２本の棒状部材により形成された支持基台と、前記支持基台の垂直方向に着脱自在または固定的に取り付けられた門型の手摺本体とからなり、
前記支持基台には、前記手摺本体を差し込むための差込部が設けられていることで、同じく上述した課題を解決した。
【００２４】
また、前記手摺本体の頂部には、荷降ろし用フックが設けられていることで、同じく上述した課題を解決した。
【００２５】
さらに、前記支持基台を構成する２本の棒状部材は、支持バーを介して連結されていることで、同じく上述した課題を解決した。
【００２６】
また、前記手摺本体には、横バーが設けられていることで、同じく上述した課題を解決した。
【発明の効果】
【００２７】
本発明に係るマンホール用手摺は、マンホールの内壁に着脱自在または固定的に取り付けられた手摺取付金具と、前記手摺取付金具に取り付けられた手摺本体とからなり、前記手摺本体は、前記手摺取付金具に挿入される差込部と、前記差込部より延設された水平部と、前記水平部より上方に延設された手摺部により形成されている。
【００２８】
その結果、手摺本体をマンホールの内壁に取り付けている手摺取付金具に差し込むだけで、マンホールに手摺本体を簡単に装着することができる。よって、作業員がマンホールに出入りする場合には、この手摺本体につかまることで、作業員が落下することなく、安全を確保しながらマンホールへの出入りができるものである。
【００２９】
また、本発明に係るマンホール用手摺には、荷降ろし用フックが設けられているので、作業員がマンホールに出入りする場合は、身体に装着した安全ロープの端部を荷降ろし用フックに固定して移動できるので、作業員によるマンホールの出入りを安全に行うことができる。
【００３０】
さらに、マンホール内において荷物の上げ降ろしをする場合も、この荷降ろし用フックに荷降ろし用ロープを通して行うことができるので、その作業が安全であると共に、作業員が楽に作業を行うことができる。
【００３１】
加えて、荷降ろし用フックに滑車を取り付けることができるので、荷物の上げ降ろし作業をよりスムーズに行うことができる。
【００３２】
また、本発明に係るマンホール用手摺は、マンホールの穴径より大きく形成された円形の支持基台と、前記支持基台に着脱自在または固定的に取り付けられた門型の手摺本体とからなり、前記支持基台には、前記手摺本体を差し込むための差込部が設けられている。
【００３３】
その結果、支持基台をマンホールの周囲に載置するだけで手摺本体をマンホールの上方に固定できることから、例えば、マンホール内に、手摺取付金具が取り付けられていないマンホールにも使用できるものである。また、このマンホール用手摺は、マンホールの上に支持基台を単に載置するだけで、非常に簡単に設置することができ、前述したマンホール用手摺と同様に、作業員が安全を確保しながらマンホールへの出入りができると共に、荷物の上げ降ろしが簡単にできるものである。
【００３４】
さらに、本発明に係るマンホール用手摺は、マンホールを跨ぐように配された２本の棒状部材により形成された支持基台と、前記支持基台に垂直方向に着脱自在または固定的に取り付けられた門型の手摺本体とからなり、前記支持基台には、前記手摺本体を差し込むための差込部が設けられている。
【００３５】
その結果、マンホールを跨ぐように支持基台を載置するだけで手摺本体をマンホールの上方に固定できることから、例えば、マンホール内に手摺取付金具が取り付けられていないマンホールにも使用できるものである。また、このマンホール用手摺は、マンホールの上に支持基台を単に載置するだけで、非常に簡単に設置することができる。そして、荷降ろし用フックを使用する場合には、荷降ろし用フックがマンホールの中心に位置するように支持基台を移動させるものである。
【発明を実施するための最良の形態】
【００３６】
以下に、本発明を実施するための最良の形態を、図面を参照して説明する。
【００３７】
図１は本発明に係るマンホール用手摺の第１の実施の形態を示す斜視図、図２は図１のマンホール用手摺の使用状態を示す斜視図、図３は図１のマンホール用手摺の他の使用状態を示す斜視図、図４は図１のマンホール用手摺の他の使用状態を示す要部拡大の斜視図、図５は本発明に係るマンホール用手摺の第２の実施の形態を示す斜視図、図６は本発明に係るマンホール用手摺の第３の実施の形態を示す斜視図である。
【００３８】
図１には、本発明に係るマンホール用手摺の第１の実施の形態が示されている。このマンホール用手摺Ａは、マンホール１０の内壁１１に着脱自在または固定的に取り付けられた手摺取付金具１２と、この手摺取付金具１２に挿脱自在に取り付けられた手摺本体１と、からなる。
【００３９】
この手摺本体１は、手摺取付金具１２に挿入される下向きの差込部２と、前記差込部２より延設された横向きの水平部３と、前記水平部３より上方に延設された上向きの手摺部４により形成されている
【００４０】
より具体的には、手摺本体１は、手摺取付金具１２に挿入される２個の垂直な差込部２と、前記差込部２より水平方向に形成された水平部３と、前記水平部３より垂直に立ち上げられた門型の手摺部４が一体に形成されている。
【００４１】
尚、横向きの水平部３は、差込部２に対して９０度の角度で取り付けられているものであるが、これに限定されず、差込部３に対して、若干上向きに、また、若干下向きに傾斜して取り付けられているものも含んでいる。
【００４２】
また、手摺本体１の水平部３間には、図２に示すように、手摺本体１を補強すると同時に、作業員Ｍが出入りする場合に手で握るために、横バー５が溶接等の手段を用いて取り付けられている。さらに、手摺本体１の頂部には、荷降ろし用フック６が溶接等の手段を用いて取り付けられている。
【００４３】
このように構成された手摺本体１は、図１に示すように、マンホール１０の手摺取付金具１２に差し込んで固定される。そのため、手摺取付金具１２は、手摺本体１の差込部２を差し込む差込筒１２ａと、この差込筒１２ａと一体に形成された取付板１２ｂを備え、この取付板１２ｂがボルトにより、マンホール１０の内壁１１に締着されるようになっている。また、手摺取付金具１２は、２個の差込筒１２ａが所定の間隔を開けてマンホール１０の内壁１１に配置されるものである。
【００４４】
この手摺取付金具１２は、手摺本体１を頻繁に使用する変電所内のマンホール１０等のように自社内の敷地に設置されたものにおいては、予めマンホール１０の内壁１１に固定しておくものである。また、マンホール１０の内壁１１には、作業員Ｍが昇降し易くするため、複数のステップ１３が取り付けられている。
【００４５】
上述のように構成されたマンホール用手摺Ａは、マンホール１０の内壁１１に手摺取付金具１２を固定して、手摺本体１の差込部２を手摺取付金具１２に差し込むだけで、誰もが簡単にマンホール用手摺Ａをマンホール１０に装着できるものである。
【００４６】
このように構成されたマンホール用手摺Ａを使用する場合は、図２に示すように、先ずマンホール１０の蓋１４を取り外し、マンホール１０に予め取り付けておいた手摺取付金具１２に手摺本体１の差込部２を差し込んでマンホール１０にマンホール用手摺Ａを固定する。このように、手摺本体１の差込部２を手摺取付金具１２に挿入した状態において、手摺本体１の水平部３は地面に当接した状態となっている。
【００４７】
次いで、作業員Ｍは、自分の身体に巻いた安全ロープ７の端部を手摺本体１の荷降ろし用フック６に固定し、手摺本体１と横バー５につかまりながら身体をマンホール１０内に入れ、足をマンホール１０内のステップ１３にかけ、マンホール１０内の下方へ徐々に降りて行くものである。
【００４８】
上述したように、このマンホール用手摺Ａを使用することにより、マンホール１０内において作業員Ｍが落下する危険性を回避し、作業の安全性を確保している。しかも、作業員Ｍが楽な姿勢でマンホール１０に出入りできるものとなる。さらに、安全ロープ７を使用することにより、作業員Ｍが落下する危険性を確実に回避し、一層安全にマンホール１０の出入りができるものである。
【００４９】
次に、図３・図４を参照して、マンホール用手摺Ａの荷降ろし用フック６の使用方法を説明する。
【００５０】
図３に示すマンホール１０へのマンホール用手摺Ａの取り付けは、手摺本体１を、前述した図１・図２と反対向きにしたもので、手摺本体１の荷降ろし用フック６が、マンホール１０の中心部近傍に位置するようになっている。すなわち、手摺本体１の差込部２を手摺取付金具１２に挿入した状態において、手摺本体１の水平部３がマンホール１０の穴内に位置している。このような位置で、荷降ろし用フック６に荷降ろし用ロープ８を通して、作業用の荷物９等を荷降ろし用ロープに吊り下げて上げ降ろしできるようにしたものである。
【００５１】
また、図４に示すマンホール用手摺Ａは、手摺本体１を、図３と同様に取り付けて荷降ろし用フック６をマンホール１０の中心部近傍に位置するようし、この荷降ろし用フック６に滑車１５を取り付けて荷降ろし用ロープ８を通したものである。
【００５２】
このように構成されたマンホール用手摺Ａの荷降ろし用フック６により、道具や資材等の荷物９の重量を荷降ろし用フック６で支えることができるので、作業員Ｍが直接体で支える必要が無くなり、安定した状態で荷物９の上げ降ろしができる。また、作業員Ｍの安全を確保しながら、スムーズな荷物９の上げ降ろしができるものである。さらに、荷降ろし用フック６に滑車１５を取り付けたときは、作業員Ｍの安全を確保しながら、一層スムーズな荷物９の上げ降ろしができるものである。
【００５３】
一方、図５には、本発明に係るマンホール用手摺の第２の実施の形態が示されている。このマンホール用手摺Ｂは、マンホール１０の穴径よりも大きい円形の枠状に形成された支持基台２１と、この支持基台２１に着脱自在または固定的に取り付けられた門型の手摺本体２０とからなる。そして、この支持基台２１には、手摺本体２０の端部を差し込むための差込部２１ａが設けられ、この手摺本体２０の頂部には、荷降ろし用フック２２が設けられている。また、手摺本体２０の垂直部２３間には、横バー２４が設けられている。
【００５４】
このように構成されたマンホール用手摺Ｂは、マンホール１０の周囲に支持基台２１を載置するだけで手摺本体２０をマンホール１０の上方に固定できることから、例えば、マンホール１０内に、手摺取付金具１２が取り付けられていないマンホール１０にも使用できるものである。また、このマンホール用手摺Ｂは、マンホール１０の上に支持基台２１を単に載置するだけで、非常に簡単に設置することができ、前述したマンホール用手摺Ａと同様に、作業員Ｍが安全を確保しながらマンホール１０への出入りができると共に、荷物９の上げ降ろしが簡単にできるものである。
【００５５】
また、図６には、本発明に係るマンホール用手摺の第３の実施の形態が示されている。このマンホール用手摺Ｃは、マンホール１０を跨ぐように平行に配された２本の棒状部材３１Ａ・３１Ｂにより形成された支持基台３１と、この支持基台３１の垂直方向に着脱自在または固定的に取り付けられた門型の手摺本体３０とからなる。
【００５６】
この支持基台３１には、手摺本体３０の端部を差し込むための差込部３１ａが設けられると共に、支持バー３５が設けられている。また、この手摺本体３０の頂部には、荷降ろし用フック３２が設けられると共に、垂直部３３間には、横バー３４が設けられている。
【００５７】
このように構成されたマンホール用手摺Ｃは、例えば、マンホール１０を跨ぐように支持基台３１を載置するだけで手摺本体３０をマンホール１０の上方に固定できることから、例えば、マンホール１０内に手摺取付金具１２が取り付けられていないマンホール１０にも使用できるものである。また、このマンホール用手摺Ｃは、マンホール１０の上に支持基台２１を単に載置するだけで、非常に簡単に設置することができる。そして、荷降ろし用フック３２を使用する場合には、荷降ろし用フック３２がマンホール１０の中心部近傍に位置するように支持基台３１を移動させるものである。
【００５８】
このように設置されたマンホール用手摺Ｃにより、前述したマンホール用手摺Ａ・Ｂと同様に、作業員Ｍが安全を確保しながらマンホール１０への出入りができると共に、荷物９の上げ降ろしが簡単にできるものである。
【産業上の利用可能性】
【００５９】
本発明は、作業員がマンホールに出入りする場合に、極めて簡単にマンホール用手摺を装着して、このマンホール用手摺を介して作業員が安全を確保しながらマンホールに出入りすることができ、しかも、このマンホール用手摺を利用して、資材等の荷降ろしも簡単に行うことができるマンホール用手摺として、種々のマンホールに広く利用されるものである。
【図面の簡単な説明】
【００６０】
【図１】本発明に係るマンホール用手摺の第１の実施の形態を示す斜視図である。
【図２】図１のマンホール用手摺の使用状態を示す斜視図である。
【図３】図１のマンホール用手摺の他の使用状態を示す要部拡大の斜視図である。
【図４】図１のマンホール用手摺の他の使用状態を示す要部拡大の斜視図である。
【図５】本発明に係るマンホール用手摺の第２の実施の形態を示す斜視図である。
【図６】本発明に係るマンホール用手摺の第３の実施の形態を示す斜視図である。
【符号の説明】
【００６１】
Ａ      マンホール用手摺
Ｂ      マンホール用手摺
Ｃ      マンホール用手摺
Ｍ      作業員
１      手摺本体
２      差込部
３      水平部
４      手摺部
５      横バー
６      荷降ろし用フック
７      安全ロープ
８      荷降ろし用ロープ
９      荷物
１０      マンホール
１１      内壁
１２      手摺取付金具
１２ａ      差込筒
１２ｂ      取付板
１３      ステップ
１４      蓋
１５      滑車
２０      手摺本体
２１      支持基台
２１ａ      差込部
２２      荷降ろし用フック
２３      垂直部
２４      横バー
３０      手摺本体
３１      支持基台
３１ａ      差込部
３１Ａ      棒状部材
３１Ｂ      棒状部材
３２      荷降ろし用フック
３３      垂直部
３４      横バー
３５      支持バー
【図１】
2007002481.tif 000003
【図２】
2007002481.tif 000004
【図３】
2007002481.tif 000005
【図４】
2007002481.tif 000006
【図５】
2007002481.tif 000007
【図６】
2007002481.tif 000008